(57)【要約】【課題】  パチンコ機用の遊技球を遊技媒体とするスロットマシンにあって、縦幅の大きい送出装置を上皿パネルに無理なく装着し得る構成を提供する。【解決手段】    上皿パネル３０の閉止状態で、送出装置４０の下部が、下皿部材２１の側傍に、且つ取付板部２０の背面側に位置するように、上皿パネル３０の片側部に送出装置４０を装着すると共に、取付板部２０の片側上部に切欠状の退避欠部２６を形成し、上皿パネル３０を開閉する際に、送出装置４０の下部が退避欠部２６を通過することによって、取付板部２０にぶつからずに前後に傾動できるようにした。【選択図】  図１４
2006271664.tif 000002
【特許請求の範囲】
【請求項１】
パチンコ機用の遊技島に固定するための外枠と、
該外枠に枢支される前枠と、
該前枠の前面下部に形成される取付板部と、
片開き可能となるように前枠の一側縁に枢支され、その閉止状態において、取付板部の上方で、該取付板部と上下に隣接する上皿パネルと、
該上皿パネルの前面に配設され、遊技球を貯留する投入用貯留部を有する上皿部材と、
取付板部の前面に配設され、遊技球を貯留する余剰用貯留部を有する下皿部材と、
投入用貯留部から機体背面側へ所要数の遊技球を送出する送出装置と
を備えてなるパチンコ機用の遊技球を遊技媒体とするスロットマシンにおいて、
送出装置は、上皿パネルの片側部に装着され、該上皿パネルの閉止状態で、該送出装置の下部を、下皿部材の側傍に、且つ取付板部の背面側に位置させるものであり、
取付板部は、その片側上部に、上皿パネルの開閉時に送出装置を通過させ得る切欠状の退避欠部を有するものであることを特徴とするスロットマシン。
【請求項２】
上皿パネルには、その片側部の下端が下方に延出することによって、取付板部の退避欠部と略一致する下方拡張部が形成されており、
送出装置が、上皿パネルの該下方拡張部を含む領域に装着されていることを特徴とする請求項１記載のスロットマシン。
【請求項３】
送出装置は、上皿パネルの片側部の背面に装着されており、
上皿パネルの、送出装置の装着部位の裏側に、スピーカー装置が設置されていることを特徴とする請求項１又は請求項２に記載のスロットマシン。
【請求項４】
送出装置が、
投入用貯留部から遊技球を流下させる取込通路と、
遊技球を一時的に停留させる一時停留部と、
取込通路の下部から一時停留部へ遊技球を送出する取込機構と、
一時停留部に停留する遊技球を機体背面側と余剰用貯留部とに選択的に送出する排出機構と
で構成されるものであることを特徴とする請求項１乃至請求項３のいずれかに記載のスロットマシン。
【請求項５】
パチンコ機用の遊技島に固定するための外枠と、
該外枠に枢支される前枠と、
該前枠の前面下部に形成される取付板部と、
片開き可能となるように前枠の一側縁に枢支され、その閉止状態において、取付板部の上方で、該取付板部と上下に隣接する上皿パネルと、
該上皿パネルの前面に配設され、遊技球を貯留する投入用貯留部を有する上皿部材と、
取付板部の前面に配設され、遊技球を貯留する余剰用貯留部を有する下皿部材と、
投入用貯留部から機体背面側へ所要数の遊技球を送出する送出装置と
を備えてなるパチンコ機用の遊技球を遊技媒体とするスロットマシンにおいて、
送出装置は、上皿パネルの片側部に装着され、該上皿パネルの閉止状態で、該送出装置の下部を、下皿部材の側傍に、且つ取付板部の前面側に位置させるものであり、
取付板部は、その片側上部に、送出装置が送出する遊技球を、機体背面側に通過させ得る退避欠部が設けられていることを特徴とするスロットマシン。
【請求項６】
上皿パネルの片側部には、送出装置を通過させ得る形状の取付枠孔が形成されており、
送出装置は、該取付枠孔の縁部に軸支されて、上皿パネルの開放状態で、上皿パネルの背面側へ回動可能となっていることを特徴とする請求項５記載のスロットマシン。
【請求項７】
送出装置が、
投入用貯留部から遊技球を流下させる取込通路と、
遊技球を一時的に停留させる一時停留部と、
取込通路の下部から一時停留部へ遊技球を送出する取込機構と、
一時停留部に停留する遊技球を機体背面側と余剰用貯留部とに選択的に送出する排出機構と
で構成されるものであることを特徴とする請求項５又は請求項６に記載のスロットマシン。
【請求項８】
送出装置の前面側がカバー部材によって覆われており、
該カバー部材には、送出装置の一時停留部の遊技球を前方から視認可能とする透明窓部が設けられていることを特徴とする請求項７記載のスロットマシン。
【請求項９】
取付板部には、送出装置の排出機構から余剰用貯留部へ遊技球を案内する返却球案内部が配設されており、
該返却球案内部には、少なくとも最大賭数に対応する個数の遊技球を貯留可能となっていることを特徴とする請求項４又は請求項７に記載のスロットマシン。
【発明の詳細な説明】
【技術分野】
【０００１】
本発明は、パチンコ機用の遊技球を遊技媒体として遊技を行うスロットマシンに関する。
【背景技術】
【０００２】
パチンコ機用の遊技球を遊技媒体とするスロットマシン（以下、遊技球用スロットマシンという。）が開発されている。一般的な遊技球用スロットマシンは、遊技島設備に固定するための矩形の外枠と、この外枠に内嵌する遊技機本体とで構成される。遊技機本体は、外枠へヒンジ部材を介して開閉可能に取り付けられる前枠を主体とし、この前枠に対して多種の部材が装着される。この遊技球用スロットマシンは、その外枠が、パチンコ機のものと同じ寸法形状となるように設計される。遊技球用スロットマシンは、パチンコ機用の遊技島へ設置し、遊技媒体の補給装置や回収装置をパチンコ機と共用することを目的とするものであるためである。
【０００３】
また、遊技球用スロットマシンの多くは、部材の形状や配置をパチンコ機と共通化している。例えば、特許文献１の遊技球用スロットマシンは、パチンコ機同様に遊技球を貯留する貯留部を有する上皿部材と下皿部材を具備する。これらは一般のパチンコ機のものと略同形状で同位置に配設される。
また、下皿部材が、前枠の下部前面の取付板部に直接固定され、上皿部材が、取付板部の上方に片開き可能に取り付けられる上皿パネルの前面に配設されている点でもパチンコ機の構成と共通している。このように遊技球用スロットマシンは、パチンコ機同様の部材の形状や配置を採用することによって、機体の設計作業の簡略化や、部材の製造コストの低減を可能としている。
【０００４】
ただし、遊技球用スロットマシンの場合は、遊技盤や発射レバーを備える替わりに、スロットマシン特有の回転リールや、該回転リールを用いてゲームを行うための遊技操作具が設けられる。また、ゲームの対価として上皿部材の投入用貯留部から機体背面側へ所要数の遊技球を送出する送出装置も配設される。
【０００５】
遊技球用スロットマシンの送出装置は種々提案されている。単純な送出装置は、投入用貯留部から遊技球を流下させる取込通路と、取込通路の下部から機体背面側に連通する通路へ所要数の遊技球のみを送出する機構を備えてなり、所定の賭数設定操作が為された場合に、設定された賭数に相当する個数の遊技球を機体背面側へ送出する（特許文献２，３参照）。また、かかる送出装置は、通常、取込通路の下部から遊技球を余剰用貯留部へ送出する機構も備えており、所定操作によって、取込通路から余剰用貯留部に連通する通路へ遊技球を送出し得るようにしている。
【０００６】
また、従来の遊技球用スロットマシンの送出装置には、遊技球を一時的に停留させる一時停留部と、取込通路の下部から一時停留部に所要数の遊技球を送出する取込機構と、一時停留部の遊技球を機体背面側と余剰用貯留部とに選択的に送出する排出機構とを備えるものが提案されている（特許文献４参照）。この種の送出装置を備える遊技球用スロットマシンは、賭数設定操作が行われると、一旦装置内に所要数の遊技球を取り込んで一時停留部に貯留する。そして、所定のゲーム開始操作が行われた場合には機体背面側へ、所定キャンセル操作が行われた場合は余剰用貯留部へ、一時停留部の遊技球を送出するようにしている。
【０００７】
【特許文献１】特開２００４−３４４５０３号公報（第５頁、第４図）
【特許文献２】特開２００３−０６２１６８号公報（第７頁、第１−２図）
【特許文献３】特開２００４−０６５３１９号公報（第２７頁、第４図）
【特許文献４】特開２００１−２９９９９５号公報（第１−３図）
【発明の開示】
【発明が解決しようとする課題】
【０００８】
ところで、既知の遊技球用スロットマシンの送出装置は、その殆どが上皿パネルに配設されている。送出装置を前枠に固定すると、上皿パネルの開放時に、上皿部材の投入用貯留部と送出装置とが分離して、投入用貯留部と送出装置の接続部分から遊技球が零れ落ちる恐れがあるためである。また、送出装置は装置の性格上、整備や修理・交換等の作業を比較的頻繁に行わなければならないが、上皿パネルに送出装置を配設しておけば、上皿パネルの開放によって送出装置を前方に引き出せるため、かかる作業を簡易化できるという利点もある。
【０００９】
ここで、上述のように、遊技球用スロットマシンの上皿パネルの形状等は、パチンコ機の形状を採用している。具体的には、上皿パネルは横長矩形状の板片からなると共に、前枠の取付板部も上皿パネルと略同じ大きさの横長矩形状をなしており、上皿パネルの閉止状態で、上方の上皿パネルと下方の取付板部とが略隙間なく、上下に隣接するように配置される。このため、送出装置全体を上皿パネルに装着する場合、送出装置の縦寸法を上皿パネルの縦寸法の範囲内に収めなければならない。送出装置を上皿パネルの下方に突出させると、送出装置から送出する遊技球の送出経路が取付板部と干渉したり、上皿パネルを開閉する際に、送出装置の突出部分が取付板部とぶつかったりする問題が生じるからである。
【００１０】
しかし、一時停留部を備える送出装置にあっては、取込通路や取込機構の下方に一時停留部が設けられ、さらにその下方に排出機構が設けられるため、装置の縦寸法は必然的に大きくならざるを得ない。かかる送出装置を、既存の上皿パネルの縦寸法に収めるのは困難である。上記特許文献４の送出装置では、送出装置の一部を上皿パネルに、残りの部分を前枠に装着するようにしている。しかし、かかる構成では、上皿パネルの開放時に、送出装置が二つに分離して、遊技球を流下させる送出装置内の通路が分断されるため、送出途中の遊技球が送出装置の分離した部分から零れ落ちて紛失する懸念がある。
【００１１】
また、一時停留部を備えない、単純な構成の送出装置にあっても、その縦幅を、既存の上皿パネルの縦幅を超えて大きくすることが求められている。というのは、既に提案されている送出装置の殆どは、投入用貯留部から遊技球を取込通路に沿って流下可能とすると共に、取込通路の下部で、スプロケット等の取込部材によって遊技球の流れを制御することにより、所要個数の遊技球のみを送出し得るようにしている。かかる送出装置にあっては、その縦寸法を大きくできれば、投入用貯留部と取込部材とを結ぶ取込用通路の高低差を大きくし、取込部材に向けて流下する遊技球の圧力を強くすることによって、所要数の遊技球をより短時間で送出可能となるためである。
【００１２】
このように、遊技球用スロットマシンでは、送出装置を既存の上皿パネルの縦幅よりも大きくし、且つその送出装置全体を適切に上皿パネルに装着することが求められている。かかる要求に対して、既存の上皿パネルの縦幅を全体的に大きくすることが考えられるが、上皿パネルを下方に拡張すると、その分だけ、下方の取付板部の縦幅を縮小せざるを得ず、下皿部材を設置する十分な縦幅を確保することができない。また、上皿パネルを上方に拡張すると、上皿部材の設置位置が高くなるため、遊技者が上皿部材を取り扱い難くなってしまう。また、遊技球用スロットマシンの部材の形状や配置を根本的に変更することも考えられるが、かかる場合には、パチンコ機との部材共通化によるメリットが失われてしまう。
【００１３】
本発明は、かかる現状に鑑みてなされたものであり、縦幅の大きい送出装置を、適切に上皿パネルに装着し得るスロットマシンの提供を目的とする。
【課題を解決するための手段】
【００１４】
本発明は、パチンコ機用の遊技島に固定するための外枠と、該外枠に枢支される前枠と、該前枠の前面下部に形成される取付板部と、片開き可能となるように前枠の一側縁に枢支され、その閉止状態において、取付板部の上方で、該取付板部と上下に隣接する上皿パネルと、該上皿パネルの前面に配設され、遊技球を貯留する投入用貯留部を有する上皿部材と、取付板部の前面に配設され、遊技球を貯留する余剰用貯留部を有する下皿部材と、投入用貯留部から機体背面側へ所要数の遊技球を送出する送出装置とを備えてなるパチンコ機用の遊技球を遊技媒体とするスロットマシンにおいて、送出装置は、上皿パネルの片側部に装着され、該上皿パネルの閉止状態で、該送出装置の下部を、下皿部材の側傍に、且つ取付板部の背面側に位置させるものであり、取付板部は、その片側上部に、上皿パネルの開閉時に送出装置を通過させ得る切欠状の退避欠部を有するものであることを特徴とするスロットマシンである（請求項１）。
【００１５】
かかる構成にあっては、送出装置を上皿パネルの片側に装着して、該送出装置の下部を、下皿部材の側傍まで、すなわち下皿部材と同じ高さ位置まで垂下させる。これにより、当該送出装置の下部と、前枠の取付板部とが同じ高さ位置に配置されることとなるが、本発明では、取付板部の、送出装置が装着されるのと同側の上部に切欠状の退避欠部を形成することにより、送出装置を取付板部に衝突させることなく、上皿パネルを開閉可能とする。すなわち、本発明では、上皿パネルの縦寸法よりも縦幅の大きい送出装置を上皿パネルに装着し、装着装置の下部が上皿パネルの下方に突出させたとしても、上皿パネルをスムーズに開閉することができる。さらには、送出装置が取付板部とぶつかることがない。また、送出装置の下部は取付板部の背面側に位置するため、送出装置から機体背面側へ遊技球を送出する経路が取付板部と干渉する心配もない。このように、本発明によれば、縦幅の大きい送出装置を上皿パネルに装着し、且つ、その送出装置を他の構成と調和させることができる。なお、本発明は、送出装置の下部の全てが、上皿パネルの閉止状態で取付板部の背面側に位置する構成に限定するものではなく、送出装置の下部が、部分的に取付板部の前面側に位置する構成を含む。
【００１６】
上記構成にあっては、上皿パネルは既存の横長矩形状のものを用いることができる。かかる上皿パネルを用いる場合には、送出装置をユニット化して、その上部を上皿パネルに固定すると共に、その下部を上皿パネルの下方に垂下させればよい。ただし、取付板部の片側上部には、切欠状の退避欠部が形成されているため、該退避欠部に合わせて、上皿パネルの片側部を下方に延出させることもできる。そこで、上皿パネルには、その片側部の下端が下方に延出することによって、取付板部の退避欠部と略一致する下方拡張部が形成されており、送出装置が、上皿パネルの該下方拡張部を含む領域に装着されている構成が提案される（請求項２）。かかる構成では、下方拡張部を形成することによって、上皿パネルの片側部の縦幅が従来形状よりも大きくなるため、送出装置が縦幅の大きいものであっても、送出装置全体を上皿パネルに固定可能となる。なお、上皿パネルの下方拡張部は、既存形状の上皿パネルの片側下部を下方に延出して、パネルの他の部位と一体的に形成してもよいし、別途専用の板状部材を上皿パネルの片側下部に取り付けて形成してもよい。
【００１７】
また、送出装置は、上皿パネルの片側部の背面に装着されており、上皿パネルの、送出装置の装着部位の裏側に、スピーカー装置が設置されている構成が提案される（請求項３）。遊技球用スロットマシンでは、一般的にゲームの度に送出装置が複数個の遊技球を機体背面側へ送出するようになっており、遊技球を送出する度に、送出装置の駆動音や、遊技球同士の衝突音等の騒音が発生する。この問題に対し、本構成では、送出装置の裏側、すなわち送出装置の前方にスピーカ装置を設けることにより、上記騒音をスピーカ装置の発する音で掻き消すことを可能とする。なお、このスピーカ装置は、既存の遊技球用スロットマシンに配設されて、ＢＧＭや効果音・楽曲などの演出音を出力するものであり、本構成のようにスピーカ装置を上皿パネルの前面側に配設した場合には、スピーカ装置の演出音を遊技者に効率よく伝えることも可能となる。
【００１８】
また、上記発明とは別の構成として、送出装置は、上皿パネルの片側部に装着され、該上皿パネルの閉止状態で、該送出装置の下部を、下皿部材の側傍に、且つ取付板部の前面側に位置させるものであり、取付板部は、その片側上部に、送出装置が送出する遊技球を、機体背面側に通過させ得る退避欠部が設けられている構成も提案される（請求項５）。かかる構成にあっては、前述の構成同様に、送出装置を上皿パネルの片側に装着して、該送出装置の下部を、下皿部材の側傍まで、すなわち下皿部材と同じ高さ位置まで垂下させる。ここで、本構成では、送出装置の下部が、上皿パネルの閉止状態で、取付板部の前面側に位置するため、取付板部の形状に関わらず、上皿パネルの開閉時に送出装置と取付板部がぶつかることがない。一方で、送出装置の下部が取付板部の前面側に位置するため、取付板部に形成した退避欠部によって、送出装置から機体背面側へ遊技球を送出する経路を確保する。さらに、下皿部材の余剰用貯留部は、一般的に取付板部の前面中央に設けられるものであるから、送出装置をかかる位置まで垂下させても、余剰用貯留部のスペースが大きく損なわれることもない。従って、本構成にあっても、縦幅の大きい送出装置全体を、周囲の部材と調和した態様で、上皿パネルに適切に装着することができる。なお、本構成に係る退避欠部は、遊技球を通過させ得るものであれば、その形状は特に限定されない。従って、退避欠部は、遊技球の幅程度の小さな孔状のものでもよいし、前述の構成同様に、取付板部の片側上部に形成される切欠状のものであっても構わない。退避欠部が切欠状である場合には、上述したように、かかる退避欠部に対して上皿パネルの片側下部を延出して下方拡張部を形成し、上皿パネルの、該下方拡張部に跨る領域に送出装置を装着することが望ましい。
【００１９】
上皿パネルの前面側に送出装置を設置する場合、一般的には、上皿部材の前面側をカバー部材等で覆い、保護する必要がある。機体の前面側から送出装置に接触可能とすると、不正行為等を誘発する恐れがあるためである。しかし、送出装置の背面側には上皿パネルがあるため、前面側からも送出装置に接触不可能とすると、送出装置の点検等の作業が煩雑なものとなってしまう。そこで、上皿パネルの片側部には、送出装置を通過させ得る形状の取付枠孔が形成されており、送出装置は、該取付枠孔の縁部に軸支されて、上皿パネルの開放状態で、上皿パネルの背面側へ回動可能となっている構成が提案される（請求項６）。かかる構成にあっては、通常状態では、送出装置が上皿パネルの前面側に配置されていても、送出装置の整備や修理等を行う際に、上皿パネルを開放して送出装置を回動させれば、送出装置をパネルの背面側に露出させることができるため、送出装置に対する作業を簡単に行うことができる。なお、本構成の場合には、送出装置をユニット化して、該ユニットを取付枠孔に軸支することが望ましい。ただし、送出装置全体をユニット化する必要はない。すなわち、送出装置を複数のユニットで構成し、各ユニットを別々に取付枠孔に軸支してもよい。また、送出装置の主要部分が回動可能に軸支されていれば、その一部分が上皿パネルに回動不可能に固定されていても構わない。また、取付枠孔は、上皿パネルを貫通する孔形状のものに限らず切欠状のものであっても構わない。
【００２０】
本発明にあっては、送出装置の構成は、特に限定されるものではなく、取込通路と、取込通路から機体背面側に遊技球を送出する機構のみからなる単純なものであっても構わない。ただし、本発明は、縦幅の大きい送出装置を無理なく上皿パネルに装着可能とするものであるから、一時停留部を備える送出装置のように、その縦寸法を大きくせざるを得ないような複雑な構成に対して強い効果を奏する。すなわち、送出装置は、投入用貯留部から遊技球を流下させる取込通路と、遊技球を一時的に停留させる一時停留部と、取込通路の下部から一時停留部へ遊技球を送出する取込機構と、一時停留部に停留する遊技球を機体背面側と余剰用貯留部とに選択的に送出する排出機構とで構成されるものであることが望ましい（請求項４，７）。
【００２１】
ところで、上皿パネルの閉止状態で、送出装置の下部を取付板部の前面側に位置させるものであって、送出装置が一時停留部を備えるものである場合には、送出装置の下流側に配置される一時停留部は、取付板部の前面側に位置することとなる。そこで、送出装置の前面側がカバー部材によって覆われており、該カバー部材には、送出装置の一時停留部の遊技球を前方から視認可能とする透明窓部が設けられている構成が提案される（請求項８）。すなわち、かかる構成にあっては、上述のように、送出装置がカバー部材で覆われて保護されると共に、カバー部材に設けられた透明窓部を介して、遊技者が一時停留部内を視認可能なる。これにより、送出装置に取り込まれた遊技球が、一時停留部に貯留される様子や、そこから機体背面側や余剰用貯留部に排出される様子を遊技者に確認させることができ、送出装置の作動に対する遊技者の不信感を払拭することが可能となる。なお、カバー部材は、送出装置の前面側に独立して配設されるものに限らず、上皿部材と一体的に配設されるものであっても構わない。
【００２２】
また、送出装置が一時停留部を備えるものである場合には、取付板部には、送出装置の排出機構から余剰用貯留部へ遊技球を案内する返却球案内部が配設されており、該返却球案内部には、少なくとも最大賭数に対応する個数の遊技球を貯留可能となっている構成が提案される（請求項９）。一般的に余剰用貯留部には賞球等の遊技球が払い出されるため、一時停留部から遊技球を余剰用貯留部に送出する際に、余剰用貯留部が満杯である場合がある。かかる場合に、送出装置と余剰用貯留部とが直結していると、一時停留部の遊技球を余剰用貯留部に排出できない。そこで、本構成では、送出装置と余剰用貯留部の間に返却球案内部を配設し、余剰用貯留部が満杯でない場合には、一時停留部から排出される遊技球を返却球案内部から余剰用貯留部に案内すると共に、余剰用貯留部が満杯である場合には、送出装置から排出される遊技球を返却球案内部に停留させることにより、返却球案内部を予備的な貯留部として機能させる。ここで、最大賭数とは、賭数設定操作により設定し得る賭数の最大値を意味する。すなわち、返却球案内部に貯留し得る、最大賭数に対応する個数の遊技球とは、一時停留部に同時に貯留され得る最大の遊技球数に等しい。
【発明の効果】
【００２３】
以上に述べたように、本発明は、送出装置が、上皿パネルの片側部に装着され、該上皿パネルの閉止状態で、該送出装置の下部を、下皿部材の側傍に、且つ取付板部の背面側に位置させるものであり、さらに、取付板部の片側上部に、送出装置を通過させ得る切欠状の退避欠部が配設されているスロットマシンであるから（請求項１）、下皿部材の設置スペースや、上皿パネルの開閉動作等に問題を生じることなく、縦幅の大きい送出装置を上皿パネルに好適に装着することができる。このため、本発明のスロットマシンでは、一時停留部等を備える縦幅の大きい送出装置であっても、上皿パネルを開放し送出装置全体を前方に引き出すことによって送出装置の整備等を簡単に行うことができる。また、送出装置が単純な構成からなるものであっても、その縦幅を大きくして、取込部材に向けて流下する遊技球の圧力が強くなるようにすれば、遊技球を迅速に送出することが可能となる。さらに言えば、本発明は、既存の遊技球用スロットマシンの部材形状や配置を大きく変更するものではないため、パチンコ機と部材を共通化できるといった、既存の遊技球用スロットマシンの利点を損なうことなく、上記効果を発揮することができる。
【００２４】
また、上皿パネルには、取付板部の退避欠部と略一致する下方拡張部が形成されており、送出装置が、上皿パネルの該下方拡張部を含む領域に装着されている場合には（請求項２）、送出装置が縦幅の大きいものであっても、装置全体を上皿パネルに固定し、送出装置を強固に保持することによって、振動や衝撃等による送出装置の誤作動を防ぐことができる。
【００２５】
また、送出装置が、上皿パネルの片側部の背面に装着されており、上皿パネルの、送出装置の装着部位の裏側に、スピーカー装置が設置されている場合には（請求項３）、遊技球の送出時に発する騒音をスピーカ装置の音で掻き消すことにより、騒音が与える遊技者の不快感を軽減できると共に、スピーカ装置の発する演出音を遊技者に明瞭に伝えることができる。
【００２６】
一方、送出装置が、上皿パネルの前面側に位置するように、該上皿パネルの片側部に装着され、且つ、上皿パネルの閉止状態で、該送出装置の下部を下皿部材の側傍に位置させるものであり、取付板部には、送出装置が送出する遊技球を、機体背面側に通過させ得る退避欠部が設けられている構成にあっても（請求項５）、余剰用貯留部の設置スペースや、上皿パネルの開閉動作等に支障を生じることなく、縦幅の大きい送出装置を上皿パネルに好適に装着することができる。
【００２７】
また、上皿パネルの片側部に取付枠孔が形成されており、送出装置が、該取付枠孔の縁部に軸支されて、上皿パネルの開放状態で、上皿パネルの背面側へ回動可能となっている場合には（請求項６）、送出装置が、上皿パネルの前面側に設置されるものであっても、上皿パネルを開放し、送出装置をパネルの背面側に回動させることにより、送出装置の整備等を簡単に行うことができる。
【００２８】
送出装置が、投入用貯留部から遊技球を流下させる取込通路と、遊技球を一時的に停留させる一時停留部と、取込通路の下部から一時停留部へ遊技球を送出する取込機構と、一時停留部に停留する遊技球を機体背面側と余剰用貯留部とに選択的に送出する排出機構とで構成されるものである場合には（請求項４，７）、送出装置が、必然的に縦幅を大きくせざるを得ない構成のものであっても、かかる送出装置を上皿パネルに無理なく装着できる。
【００２９】
また、カバー部材に、送出装置の一時停留部の遊技球を前方から視認可能とする透明窓部が設けられている場合には（請求項８）、送出装置をカバー部材によって保護しつつ、送出装置による遊技球の取込・排出態様を視認可能とすることにより、遊技者の送出装置に対する信頼感を高めることができる。
【００３０】
取付板部に、送出装置の排出機構から余剰用貯留部へ遊技球を案内する返却球案内部が配設されており、該返却球案内部には、少なくとも最大賭数に対応する個数の遊技球を貯留可能となっている場合には（請求項９）、余剰用貯留部が満杯である場合でも、一時停留部の遊技球を返却球案内部に送り出し、遊技者に返却することができる。
【発明を実施するための最良の形態】
【００３１】
本発明の実施形態を、以下の実施例に基づいて説明する。
図１は、本発明に係るスロットマシン１の斜視図である。このスロットマシン１は、パチンコ機用の遊技球を遊技媒体として遊技を行うものであって、通常はパチンコ機用の遊技島に対してパチンコ機同様に取り付けられる。すなわち、このスロットマシン１は、図１〜３に示すように、遊技島に固定されるパチンコ機と同形状の外枠２と、回転リール１１ａ〜１１ｃを備え、ヒンジ部材１２を介して外枠２に開閉可能に枢着する遊技機本体３とからなる。
【００３２】
遊技機本体３は、図１〜３に示すように、ヒンジ部材１２を介して外枠２に直接枢着する前枠４と、該前枠４の前面側上半分に開閉可能に取り付けられる前扉６と、前面に上皿部材３１が設けられ、前扉６の下方に開閉可能に取り付けられる上皿パネル３０と、前枠４の背面側に開閉可能に取り付けられる裏機構板５等により構成される。
【００３３】
前枠４の背面上部には、３つの回転リール１１ａ〜１１ｃが設けられる。これらの回転リール１１ａ〜１１ｃは、これらを個別に駆動するリールモータおよび該モータを支持する支持部材と一体のリールユニット１０を構成している。
【００３４】
前枠４の前面下部には、前枠４の幅方向に亘る取付板部２０が形成され、この取付板部２０の前面中央に下皿部材２１が配設される。下皿部材２１は、その内部に遊技球を貯留する余剰用貯留部２２を有する。取付板部２０の、余剰用貯留部２２を臨む位置には球放出口２４が開口しており、該球放出口２４から余剰用貯留部２２に遊技球が流入する。また、図４に示すように、下皿部材２１の下部には、余剰用貯留部２２の底面に形成される球抜孔２３を開閉する球抜スライダ１９が設けられており、遊技者がこの球抜スライダ１９を移動操作することにより球抜孔２３が開放し、余剰用貯留部２２の遊技球が下方に排出される。
【００３５】
前扉６は、前面に装飾が配された矩形状をなし、その左縁に設けられたヒンジ部材（図示省略）を介して前枠４に開閉可能に取り付けられる。図１に示すように、前扉６の中央位置には、前枠４に設けられる各回転リール１１ａ〜１１ｃを前方から視認可能とする表示窓８ａ〜８ｃが形成される。また、表示窓８ａ〜８ｃの下方には、遊技者に遊技状態を報知する各種の表示器７が設けられる。また、前扉６の下部前面には、貸球の要求やプリペイドカードの返却要求を機外のカードユニット（図示省略）へ行うためのカード操作部９が設けられている。
【００３６】
金属板よりなる上皿パネル３０は、図３に示すように、前枠４の下部にヒンジ部材２９を介して片開き可能に取り付けられており、取付板部２０と上下に隣接する閉止状態（図５参照）から前方へ開放して背面を露出可能となっている。また、図１，３，５に示すように、上皿パネル３０の前面には、樹脂製の上皿部材３１が固定されており、上皿部材３１の上部に、投入用の遊技球を貯留する投入用貯留部３２が設けられる。この投入用貯留部３２は、上方の開放部分を介して遊技者が投入用の遊技球を直接補給可能となっており、また、その左側後部に開口する球供給口３４から賞球等の遊技球が流入するようになっている。また、投入用貯留部３２の右奥には、遊技球を左右一列に整列させる整流路３９が形成され、その右端に遊技球１個を流出させ得る形状の取込口３５が形成される。投入用貯留部３２に貯留される遊技球は、該貯留部３２の底面の案内作用によって、整流路３９に流入して整列し、取込口３５から順次流出するようになっている。この取込口３５から流出した遊技球は、上皿パネル３０の前面側に装着された送出装置４０（図６参照）へ供給される。
【００３７】
上皿部材３１は、上部の投入用貯留部３２の他に、該投入用貯留部３２の前面、底面及び両側面の全てを被覆するカバー部３３を具備する。図１に示すように、このカバー部３３の前面には、スタートスイッチ５６や停止スイッチ５８ａ〜５８ｃ，キャンセルスイッチ５９が設けられており、また投入用貯留部３２の右側方にあたる位置にはＭＡＸＢＥＴスイッチ５７ａと１ＢＥＴスイッチ５７ｂが設けられている。スロットマシン１の遊技は、これらのレバー型やボタン型のスイッチの操作により行われる。ＭＡＸＢＥＴスイッチ５７ａと１ＢＥＴスイッチ５７ｂは、賭数設定操作を行うためのものであり、これらの押圧操作によって設定された賭数に相当する個数の遊技球が、投入用貯留部３２から後述の送出装置４０（図６参照）に取り込まれる。そして、かかる状態において、スタートスイッチ５６を押し下げると、各回転リール１１ａ〜１１ｃが回転してゲームが開始されると共に、送出装置４０に取り込まれた遊技球が機体背面側に送出される。停止スイッチ５８ａ〜５８ｃは回転リール１１ａ〜１１ｃの停止操作に用いるものであり、回転リール１１ａ〜１１ｃの回転中にこれらのスイッチを押圧操作すると、その操作タイミングに基づいて各停止スイッチ５８ａ〜５８ｃに対応する回転リール１１ａ〜１１ｃが停止する。また、キャンセルスイッチ５９は、設定した賭数を取り消すキャンセル操作を行うためのものであり、賭数が設定された状態でキャンセルスイッチ５９が押圧操作されると、送出装置４０に取り込まれた遊技球が余剰用貯留部２２に返却される。
【００３８】
また、図２に示すように、前枠４の背面側には、一側縁が枢結された裏機構板５が開閉可能に取り付けられている。この裏機構板５の背面には、基板ユニット１３が装着される。基板ユニット１３には、電子回路が組み込まれた複数の基板（図示省略）が内蔵されている。これらの基板は、相互に電気的に接続されると共に、スロットマシン１が備える各種センサ、スイッチ、モータ、ランプ等と接続されるものであり、スロットマシン１の遊技制御手段はこれらの基板により構成される。裏機構板５の上部には、遊技島の球供給装置（図示省略）から遊技球の供給を受ける球タンク１４が設けられる。この球タンク１４は、裏機構板５の側部に形成される球供給通路１７を介して、上皿部材３１の投入用貯留部３２を臨む球供給口３４や、余剰用貯留部２２を臨む球放出口２４と連通しており、該球供給通路１７の中途位置に設けられた払出装置１５が作動すると、球タンク１４側に位置する所定数の遊技球が、投入用貯留部３２や余剰用貯留部２２へ払い出される。この払出装置１５から送出された遊技球は、通常は、前記球供給口３４から投入用貯留部３２へと放出されるが、投入用貯留部３２が満杯である場合は、球放出口２４から余剰用貯留部２２へと放出される。
【００３９】
次に、送出装置４０の構成について説明する。
本実施例の送出装置４０は、投入用貯留部３２の取込口３５から遊技球を取り込んで、機体背面側又は余剰用貯留部２２へ送出するものであり、図６，８に示すように、上皿パネル３０の右側部前面に配設されて、その前面側を、上皿部材３１のカバー部３３によって覆われている。すなわち本実施例においては、送出装置の前面側を覆うカバー部材は、上皿部材３１のカバー部３３によって構成される。図８に示すように、送出装置４０の背面下部には、取り込んだ遊技球ｘを機体背面側へ送出するための取込球排出口４６が開口する。この取込球排出口４６から排出される遊技球ｘは、前枠４に固定された取込球排出路４７を通って機体背面側へ送出され、機体背面側で機外に排出されることとなる。送出装置４０の底部には、図６に示すように、取り込んだ遊技球ｘを余剰用貯留部２２側へ送出するための返却球排出口４８が開口する。この返却球排出口４８から排出される遊技球ｘは、取付板部２０の前面右下部に設けられた返却球案内部２５を通って余剰用貯留部２２へ送出される。送出装置４０は、図７に示すように、投入用貯留部３２の取込口３５から遊技球ｘを流下させる取込通路４１と、遊技球ｘを一時的に停留させる一時停留部４３と、取込通路４１の下部から一時停留部４３へ遊技球ｘを送出する取込機構４２と、一時停留部４３に停留する遊技球ｘを機体背面側と余剰用貯留部２２とに選択的に送出する排出機構４４等によって構成される。取込口３５から送出装置４０へ流入した遊技球ｘは、取込機構４２によって一時停留部４３へ取り込まれて一時停留した後、排出機構４４によって取込球排出口４６と返却球排出口４８のいずれかへ送出される。
【００４０】
図７に示すように、取込通路４１は、投入用貯留部３２の取込口３５から遊技球ｘを下方の一時停留部４３へ流下させる短尺な流路である。この取込通路４１の下流部には、スプロケット６４の歯部が突出しており、該スプロケット６４により、取込通路４１から一時停留部４３への遊技球ｘの流入が規制される。また、取込通路４１から一時停留部４３との接続部には、一時停留部４３に流入する遊技球ｘを計数するための取込球検出スイッチ６５が配設される。取込機構４２は、上記スプロケット６４と、該スプロケット６４の回転を規制するストッパ６３と、該ストッパ６３を傾動させる取込用ソレノイド６２とにより構成される。
【００４１】
一時停留部４３は、く字状に屈曲した長尺通路状をなすものであり、その内部に最大１５個の遊技球を一列に停留可能とする。この停留させ得る遊技球１５個は、一回のゲームで設定し得る最大賭数に相当する遊技球数である。一時停留部４３の下流側は、返却球排出口４８へと通じる返却球排出路４５と連通している。この一時停留部８１と返却球排出路４５の接続部にはスプロケット７０の歯部が突出し、返却球排出路４５への遊技球ｘの流出を規制している。また、図８に示すように、一時停留部４３の下流端部の背面側には、遊技球ｘを機体背面側へ送出するための取込球排出口４６が開口する。この取込球排出口４６は、上下移動する開閉板片７４によって開閉される。また、返却球排出路４５には、一時停留部４３から余剰用貯留部２２へ送出する遊技球を計数するための返却球検出スイッチ７１が配設される。排出機構４４は、上記スプロケット７０と、該スプロケットの回転を規制するストッパ６９と、該ストッパ６９を傾動させる返却用ソレノイド６８、そして、上記開閉板片７４と、該開閉板片７４を上下に移動させる取込球排出用ソレノイド７３とで構成される。
【００４２】
送出装置４０の作動を、図９〜１１を参照して簡単に説明する。まず、賭数設定操作が行われる前の通常状態にあっては、図９（イ）に示すように、一時停留部４３に遊技球ｘが停留せず、投入用貯留部３２から流入した遊技球ｘは取込通路４１の下流部でスプロケット６４に係止されている。この通常状態において、ＢＥＴスイッチ５７ａ，５７ｂが操作されると、これを契機として取込用ソレノイド６２が所要回数往復駆動し、往復駆動の度にスプロケット６４が所定角度回転して、遊技球ｘが１個ずつ一時停留部４３へ送出される（図９（ロ）参照）。ここで、かかる状態にあっては、取込球排出口４６は開閉板片７４により閉鎖されており、また、一時停留部４３と返却球排出路４５の接続部はスプロケット７０によって規制されている。従って、賭数設定操作によって、一時停留部４３に流入した遊技球ｘは、スプロケット７０と開閉板片７４によって阻止されて、一時停留部４３に停留することとなる（図１０（イ），図１１（イ）参照）。そして、かかる状態において、スタートスイッチ５６が操作されると、図１１（ロ）に示すように、取込球排出用ソレノイド７３が開閉板片７４を上方に引き上げることによって、取込球排出口４６が開放され、一時停留部４３の遊技球ｘが機体背面側へ送出される。一方、キャンセルスイッチ５９が操作された場合には、図１０（ロ）に示すように、返却用ソレノイド６８が往復駆動することによりスプロケット７０が回転し、一時停留部４３の遊技球ｘが余剰用貯留部２２へ送出される（図１０（ロ）参照）。
【００４３】
以下に、本発明の要部に係る構成を詳細に説明する。
本実施例の送出装置４０は、図６，１２に示すように、上皿パネル３０の右側部に配設される縦長形状のものであり、その下部を下皿部材２１の右側傍に位置させている。また、図８に示すように、送出装置４０の下部は、上皿パネル３０の閉止状態で、取付板部２０の前面側に位置している。従って、本実施例にあっては、図１３に示すように、取付板部２０の形状が既存の矩形状のものであっても、送出装置４０を取付板部２０にぶつけることなく、上皿パネル３０を開閉可能となっている。また、下皿部材２１の余剰用貯留部２２は取付板部２０の前面中央に設けられているため、送出装置４０が下皿部材２１の高さ位置まで垂下していても、余剰用貯留部２２のスペースが何ら制限されることもない。ここで、本実施例の取付板部２０には、図１４に示すように、その右側上部（図１４中の左側上部）に切欠状の退避欠部２６が形成されている。図７に示すように、本実施例では、この退避欠部２６を通過させることによって、取付板部２０の前面側の送出装置４０から、取付板部２０背面側の取込球排出路４７へ遊技球を円滑に送出可能となっている。すなわち、本実施例のスロットマシン１では、送出装置４０の縦幅が、上皿部材３１から下皿部材２１の高さ位置にまで及ぶ大きいものであっても、上皿パネル３０の開閉や、送出装置４０の遊技球の送出に支障を生じることがなく、送出装置４０を適切に上皿パネル３０に装着することができる。なお、かかる退避欠部２６は、本実施例のような切欠状でなく、取込球排出口４６から取込球排出路４７へ遊技球を通過させ得る程度の貫通孔であっても構わない。
【００４４】
本実施例の上皿パネル３０は、図１４に示すように、横長矩形状の部分に加えて、その右側部（図中の左側）の下端が下方に延出することによって、取付板部２０の退避欠部２６と略一致する下方拡張部３８が形成されている。また、図１５に示すように、上皿パネル３０の右側部には、パネル右側部の縦幅に亘る取付枠孔３７が形成される。この取付枠孔３７は、送出装置４０の形状に合わせて繰り抜かれた貫通孔であり、送出装置４０の主要部が該取付枠孔３７の縁部に軸支されることにより、上皿パネル３０に装着される。
【００４５】
送出装置４０の主要部は、透明樹脂からなる上下二つのケース７５，７６に収容されることによってユニット化される。図７に示すように、上部ケース７５には取込機構４２が収容され、下部ケース７６には一時停留部４３や排出機構４４等が収容されている。そして、図１５に示すように、各ケース７５，７６は、ヒンジ部材を具備する連結板７７，７８の前面に取り付けられて、上皿パネル３０の取付枠孔３７の左縁に夫々回動可能に軸支される。両ケース７５，７６は、上皿パネル３０の閉止状態では、該パネルの前面側に保持されて、収容された各部材が一体の送出装置４０として機能するが、上皿パネル３０が開放し、上皿パネル３０の背面側が露出した状態では、図１６に示すように、各ケース７５，７６を回動し、パネルの背面側に露出させることが可能となっている。従って、本実施例にあっては、送出装置４０が上皿パネル３０の前面側に配置され、その前面が上皿部材３１のカバー部３３で覆われていても、図１６のように、上皿パネル３０を開放してケース７５，７６を背面側に露出させることで、送出装置４０の整備等を簡単にできるようになっている。
【００４６】
また、図１，４に示すように、上皿部材３１のカバー部３３の前面側には、送出装置４０の一時停留部４３等を前方から視認可能な透明窓部３６が設けられている。遊技者はかかる透明窓部３６を介して送出装置４０内を見ることによって、投入用貯留部３２から取込通路４１に流下した遊技球ｘが、一時停留部４３に取り込まれて停留し、そして、一時停留部４３から機体背面側や余剰用貯留部２２へと排出される様子を逐次確認することができる。すなわち、本実施例のスロットマシン１では、透明窓部３６によって、遊技者は、送出装置の作動態様を直感的に把握することが可能となり、送出装置の作動に不安を感じることなく、安心して遊技を行うことができる。
【００４７】
また、本実施例にあっては、図６に示したように、送出装置４０の返却球排出口４８から排出された遊技球ｘが、取付板部２０に設けられた返却球案内部２５を通って余剰用貯留部２２へ流下するようになっている。ここで、この返却球案内部２５は、図１７に示すように、前後幅が広く、その内部に１５個の遊技球を停留させ得るスペースを有している。遊技球１５個は、一時停留部４３に一度に停留し得る遊技球数である。すなわち、本実施例のスロットマシン１では、余剰用貯留部２２が遊技球で満杯である場合においても、一時停留部４３に停留する遊技球ｘを、キャンセル操作に基づいて返却球案内部２５に排出することができる。なお、返却球案内部２５は、余剰用貯留部２２より高い位置に配設されており、球放出口２４から流入した遊技球によって余剰用貯留部２２が満杯となった場合でも、余剰用貯留部２２側から返却球案内部２５に遊技球ｘが流入しないようになっている。
【００４８】
次に上記実施例から送出装置の配置を変更した変形例について、図１８〜２３を参照して説明する。なお、変形例のスロットマシン１ａは、上記実施例と大部分の構成が同じであるため、構成の共通する部分については図中で符号を共通させて説明を省略する。
【００４９】
本変形例にあっては、図１９〜２２に示すように、送出装置４０ａが、上皿パネル３０ａの右側部の背面に装着されており、上皿パネル３０ａの閉止状態で、その下部を下皿部材２１の右側部に、且つ取付板部２０の背面側に位置させている。
【００５０】
送出装置４０ａは、図２２，２３に示すように、上記実施例の送出装置４０と略同じ構成である。ただし、本変形例では、取込通路４１と取込球検出スイッチ６５が、取込機構４２と同じ上部ケース７５ａに収容されており、上部ケース７５ａと下部ケース７６ａは連結板部を介さずに、上皿パネル３０ａに直接固定される。なお、本変形例では、図２０，２２に示すように、投入用貯留部３２の取込口３５ａは、整流路３９右端の背面側に形成されており、投入用貯留部３２の遊技球が、取込口３５ａから流出し、パネル背面側の送出装置４０ａに供給されるようになっている。また、送出装置４０ａから余剰用貯留部２２へ遊技球ｘを案内する返却球案内部２５ａは、送出装置４０ａの配置に合わせて取付板部２０の背面側に配設されている。
【００５１】
取付板部２０は上記実施例のものと同形状をなす。すなわち、図１８〜２１に示すように、その右上部には切欠状の退避欠部２６が設けられている。本変形例では、上皿パネル３０ａを開閉する際に、送出装置４０ａの下部が退避欠部２６を通過することにより、送出装置４０ａが取付板部２０にぶつかることなく上皿パネル３０ａを開閉し得るようになっている。また、図２０に示すように、送出装置４０ａの下部は、取付板部２０の背面側に位置するため、本変形例では、送出装置４０ａの取込球排出口４６から機体背面側に遊技球を送出する経路が、取付板部２０と干渉することもない。このように、本変形例にあっては、送出装置４０ａの下部が取付板部２０の背面側に配置すると共に、取付板部２０の、送出装置４０ａに対応する位置に切欠状の退避欠部２６を形成することによって、上皿パネル３０の開閉や、送出装置４０の遊技球の送出に支障を生じることなく、縦幅の大きい送出装置４０を上皿パネル３０に適切に装着可能としている。
【００５２】
上皿パネル３０ａの外形は、上記実施例と同じであり、既存の矩形状の部分に加えて、その右側部の下端が下方に延出し、取付板部２０の退避欠部２６と略一致する下方拡張部３８が形成されている。ただし、本変形例の上皿パネル３０ａには、取付枠孔は形成されておらず、送出装置４０ａ全体が、上皿パネル３０ａの背面右側の、下方拡張部３８に跨る領域に固定される。かかる構成によれば、上皿パネル３０ａに下方拡張部３８が形成されているために、送出装置４０ａの下部が下皿部材２１の高さ位置まで及ぶものであっても、送出装置４０ａ全体を上皿パネル３０ａに固定して、振動や衝撃により誤作動を生じないよう送出装置４０ａを強固に保持することができる。
【００５３】
また、図１８，２０，２２に示すように、本変形例では、上皿パネル３０ａの、送出装置４０ａの装着部位の裏側にスピーカ装置９０が装着されている。このスピーカ装置９０は、遊技制御手段を構成する基板と接続され、スロット遊技に合わせてＢＧＭや効果音・楽曲などの演出音を出力するものである。このスピーカ装置９０は、上皿パネル３０ａに固定されたスピーカ取付台座９１を介してパネル前面に取り付けられ、その前面側は、上皿部材３１ａのカバー部３３ａによって覆われている。カバー部３３ａの、スピーカ装置９０の前面を覆う位置には、スピーカ装置９０の音を前方に通過させる多数の放音孔９２が形成される。かかる構成によれば、スピーカ装置９０が上皿パネル３０ａの前面に配設されることによって、スピーカ装置９０の発する演出音を遊技者に確実に伝えることができる。また、スピーカ装置９０が、送出装置４０ａの裏側、すなわちパネル前面側に配置されるため、送出装置４０ａの作動時に発せられるソレノイドの駆動音や遊技球の衝突音といった騒音を、スピーカ装置９０の発する音で掻き消すことができる。
【００５４】
なお、本発明のスロットマシンは、上述した実施例の形態に限定されるものではなく、本発明の要旨を逸脱しない範囲内において種々変更を加え得ることは勿論である。例えば、本発明に係る送出装置は、実施例の構成に替えて、既存構成の送出装置を適宜採用することができる。
【００５５】
具体的には、実施例の送出装置は、装置内に遊技球を取り込んで一時停留部に一時的に停留させるものであるが、本発明に係る送出装置は、取込通路と、取込通路から機体背面側に遊技球を送出する機構のみからなる単純なものであっても構わない。かかる場合には、取込通路の高低差を大きくし、取込部材に向けて流下する遊技球の圧力を強くすることによって、所要数の遊技球を短時間で送出することが可能となる。
【００５６】
また、実施例では、送出装置の取込機構や排出機構を上下二つのケースに収容しているが、取込機構や排出機構等を単一のケースに収容してもよいし、ケースに収容せず、送出装置の各部材を上皿パネルに直接取り付けてもよい。
【００５７】
また、実施例及び変形例では、送出装置は上皿パネルの前面側又は背面側のいずれかに配設されているが、送出装置の一部が前面側に設置し、残りの部分を背面側に設置するなど、上皿パネルを挟んで送出装置を配設することもできる。
【００５８】
さらに、実施例では、上皿パネルと、上皿パネル上方の前扉は、前枠４に対して別々に枢支されているが、本発明に係る上皿パネルは、上方の前扉と一体形成されて前枠に枢支されるものであっても構わない。
【図面の簡単な説明】
【００５９】
【図１】実施例のスロットマシン１の外観斜視図である。
【図２】スロットマシン１の背面図である。
【図３】スロットマシン１の平面図である。
【図４】スロットマシン１の下部を拡大して示す正面図である。
【図５】スロットマシン１の下部を拡大して示す右側面図である。
【図６】図５のＡ−Ａ断面図である。
【図７】図６中のＢ部分の拡大図である。
【図８】上皿部材３１等を縦断して送出装置４０の構造を示す縦断側面図である。
【図９】送出装置４０の作動態様を示す説明図（イ），（ロ）である。
【図１０】送出装置４０の作動態様を示す説明図（イ），（ロ）である。
【図１１】送出装置４０の作動態様を示す説明図（イ），（ロ）である。
【図１２】上皿パネル３０及び上皿部材３１を、図４中のＣ−Ｃ断面で切断して示すスロットマシン１の平面図である。
【図１３】上皿パネル３０の開閉態様を示すスロットマシン１の平面図（イ），（ロ）であり、（イ）は上皿パネル３０の閉止状態を示し、（ロ）は上皿パネル３０の開放状態を示す。
【図１４】閉止状態の上皿パネル３０と取付板部２０との配置関係を示す背面図である。
【図１５】上皿パネル３０と送出装置４０を分離して示す斜視図である。
【図１６】上皿パネル３０に対する送出装置４０の回動態様を示す説明図（イ），（ロ）であり、（イ）は上部ケース７５をパネル背面側に回動させた状態を示し、（ロ）は下部ケース７６をパネル背面側に回動させた状態を示す。
【図１７】上皿パネル３０を取り除き、下皿部材２１を、図４中のＤ−Ｄ断面で切断して示すスロットマシン１の平面図である。
【図１８】変形例のスロットマシン１ａの下部を拡大して示す正面図である。
【図１９】上皿部材３１ａを縦断して示すスロットマシン１ａの下部拡大正面図である。
【図２０】上皿部材３１ａ等を縦断して送出装置４０ａの構造を示す縦断側面図である。
【図２１】閉止状態の上皿パネル３０ａと取付板部２０との配置関係を示す背面図である。
【図２２】上皿パネル３０ａから送出装置４０ａ等を分離して示す斜視図である。
【図２３】上部ケース７５ａと下部ケース７６ａを縦断して示す送出装置４０ａの正面図である。
【符号の説明】
【００６０】
１，１ａ  スロットマシン
２  外枠
３  遊技機本体
４  前枠
２０  取付板部
２１  下皿部材
２２  余剰用貯留部
２５，２５ａ  返却球案内部
２６  退避欠部
３０，３０ａ  上皿パネル
３１，３１ａ  上皿部材
３２  投入用貯留部
３３，３３ａ  カバー部
３６  透明窓部
３７  取付枠孔
３８  下方拡張部
４０，４０ａ  送出装置
４１  取込通路
４２  取込機構
４３  一時停留部
４４  排出機構
９０  スピーカ装置
ｘ  遊技球
【図１】
2006271664.tif 000003
【図２】
2006271664.tif 000004
【図３】
2006271664.tif 000005
【図４】
2006271664.tif 000006
【図５】
2006271664.tif 000007
【図６】
2006271664.tif 000008
【図７】
2006271664.tif 000009
【図８】
2006271664.tif 000010
【図９】
2006271664.tif 000011
【図１０】
2006271664.tif 000012
【図１１】
2006271664.tif 000013
【図１２】
2006271664.tif 000014
【図１３】
2006271664.tif 000015
【図１４】
2006271664.tif 000016
【図１５】
2006271664.tif 000017
【図１６】
2006271664.tif 000018
【図１７】
2006271664.tif 000019
【図１８】
2006271664.tif 000020
【図１９】
2006271664.tif 000021
【図２０】
2006271664.tif 000022
【図２１】
2006271664.tif 000023
【図２２】
2006271664.tif 000024
【図２３】
2006271664.tif 000025